(57)【要約】      （修正有）【課題】免震装置を備える躯体の周囲に形成される目地部の全周を確実に常時塞ぐことができる目地カバー装置を提供する。【解決手段】一方の躯体３に免震装置を介して接続され、目地部２を介して対向する他方の躯体４と、一方の躯体の目地部側に設けられ、目地部を塞ぐ目地プレート６と、目地プレートにスライド移動可能に設けられたカバー板７と、目地部の角部を塞ぐ角部カバー装置８とで構成され、角部カバー装置は、他方の躯体に一端部が回動可能に取り付けられ、通常時において目地プレートの下方に位置し、目地部の角部を塞ぐ角部カバー板１４と、角部カバー板を一方の躯体側に回動するように付勢する付勢手段１５と、角部カバー板の回動を制限するストッパー１６とからなり、角部カバー装置は、地震によって目地部が広くなった場合であっても目地部の角部を塞ぐことができる。【選択図】図１
2020090872.tif 000002
【特許請求の範囲】
【請求項１】
一方の躯体に免震装置を介して接続されるとともに、目地部を介して対向する他方の躯体と、一方の躯体の目地部側に設けられ、目地部を塞ぐ目地プレートと、目地プレートにスライド移動可能に設けられたカバー板と、目地部の角部を塞ぐ角部カバー装置とで構成され、
前記角部カバー装置は、他方の躯体に一端部が回動可能に取り付けられ、通常時において前記目地プレートの下方に位置し、目地部の角部を塞ぐ角部カバー板と、該角部カバー板を一方の躯体側に回動するように付勢する付勢手段と、前記角部カバー板の回動を制限するストッパーとからなり、前記角部カバー装置は、地震によって目地部が広くなった場合であっても前記目地部の角部を塞ぐことができ、前記目地部が狭くなった場合には、前記一方の躯体に押圧され前記角部カバー板の他端部が回動して地震による揺れ動きを吸収する目地カバー装置。
【請求項２】
前記角部カバー板は、平面視略三角形状に形成されていることを特徴とする請求項１に記載の目地カバー装置。
【発明の詳細な説明】
【技術分野】
【０００１】
本発明は目地部を介して設けられた躯体の間の目地部を塞ぐ目地カバー装置に関する。
【背景技術】
【０００２】
従来、免震装置を備える躯体間の目地部を塞ぐ目地カバー装置としては、「建物の下部外壁躯体に目地部を介して設けられた床躯体の目地部側の上面と隙間を介して先端部が位置する、該目地部を覆うように設けられた目地プレートと、この目地プレートの底面に所定間隔で固定された複数個のレールに前記隙間より床躯体上へ突出するようにスライド移動可能に取付けられた先端部に下方へ突出するストッパー板を備える複数個のステップ板と、この複数個のステップ板を常時収納方向に付勢する付勢機構と、前記床躯体の目地部側端部に前記ストッパー板と前後方向に建物本体が揺れ動いても係合して、ステップ板を引き出すことができる係合片とからなることを特徴とする目地カバー装置」が知られている（例えば特許文献１）。
【０００３】
この目地カバー装置は、具体的には、通常時は目地プレートが目地部を塞ぐとともに、目地部が広くなるように躯体が揺れ動いた場合には、目地プレートの底面に設けられたステップ板により目地部が開口しないように塞ぐものである。このような構成とすることにより、他人の敷地との境界線や壁面等が目地部の近くに存在する場合であっても、目地プレートが地震時に他人の敷地等まで入り込んだり、壁面と衝突することなく、かつ、目地部が開口することなく塞ぐことができるものである。
【０００４】
しかしながら、免震装置を備える躯体は、その周囲に環状に目地部が形成されるため、上記目地カバー装置は、直線状の目地部を塞ぐ場合には問題なく機能するものの、目地部の角部については、地震によって目地部が広くなった場合に塞ぐことができず、目地部の角部は一時的ながら開口してしまうという問題があった。
【先行技術文献】
【特許文献】
【０００５】
【特許文献１】特開２００８−１４４３６７号公報
【発明の概要】
【発明が解決しようとする課題】
【０００６】
本発明は以上のような従来の問題点に鑑み、免震装置を備える躯体の周囲に形成される目地部の全周を確実に常時塞ぐことができる目地カバー装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の請求項１に記載の目地カバー装置は、一方の躯体に免震装置を介して接続されるとともに、目地部を介して対向する他方の躯体と、一方の躯体の目地部側に設けられ、目地部を塞ぐ目地プレートと、目地プレートにスライド移動可能に設けられたカバー板と、目地部の角部を塞ぐ角部カバー装置とで構成され、前記角部カバー装置は、他方の躯体に一端部が回動可能に取り付けられ、通常時において前記目地プレートの下方に位置し、目地部の角部を塞ぐ角部カバー板と、該角部カバー板を一方の躯体側に回動するように付勢する付勢手段と、前記角部カバー板の回動を制限するストッパーとからなり、前記角部カバー装置は、地震によって目地部が広くなった場合であっても前記目地部の角部を塞ぐことができ、前記目地部が狭くなった場合には、前記一方の躯体に押圧され前記角部カバー板の他端部が回動して地震による揺れ動きを吸収することを特徴とする。
【０００９】
請求項２に記載の目地カバー装置の前記角部カバー板は、前記一方の躯体に対向する一辺が弧状に形成されていることを特徴とする。
【発明の効果】
【００１０】
以上の説明から明らかなように、本発明にあっては次に列挙する効果が得られる。
（１）請求項１に記載の発明においては、角部カバー装置によって目地部の角部も常時閉塞することができる。
したがって、地震によって目地部が広がるように左右の躯体が揺れ動いた場合であっても、目地部の全体がカバー板及び角部カバー板で閉塞され、目地部が開口することを確実に防止することができる。
（２）請求項２に記載の発明についても、前記（１）と同様な効果が得られるとともに、合理的手段により、地震の揺れ動きを吸収することができる。
【図面の簡単な説明】
【００１１】
図１乃至図９は本発明の第１の実施形態を示す説明図である。
図１０乃至図１３は本発明の第２の実施形態を示す説明図である。
【図１】第１の実施形態の目地カバー装置の平面図。
【図２】図１の２−２線に沿う断面図。
【図３】図１の３−３線に沿う断面図。
【図４】図１の４−４線に沿う断面図。
【図５】目地部及び角部カバー装置の説明図。
【図６】地震で目地部が狭くなった状態の平面図。
【図７】図６の７−７線に沿う断面図。
【図８】地震で目地部が広くなった状態の平面図。
【図９】図８の９−９線に沿う断面図。
【図１０】第２の実施形態の目地カバー装置の平面図。
【図１１】目地部及び角部カバー装置の説明図。
【図１２】地震で目地部が狭くなった状態の平面図。
【図１３】地震で目地部が広くなった状態の平面図。
【発明を実施するための形態】
【００１２】
以下、図面に示す本発明を実施するための形態により、本発明を詳細に説明する。
図１乃至図９に示す本発明を実施するための第１の形態において、１は目地部２を介して設けられた一方の躯体３と他方の躯体４間に設置された目地カバー装置である。
なお、左右方向とは図１における左右方向であり、前後方向とは図１における上下方向をいい、上下方向とは図２における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
この目地カバー装置１は、図１乃至図４に示すように、一方の躯体３と、該一方の躯体３に免震装置５（アイソレーター等）を介して接続されるとともに、目地部２を介して対向する他方の躯体４と、前記一方の躯体３の目地部２側に通常時において目地部２を塞ぐように目地部２の上部に位置するように設けられた目地プレート６と、該目地プレート６の底面部にスライド移動可能に設けられたカバー板７と、前記目地部２の角部を塞ぐ角部カバー装置８とで構成されている。
【００１５】
目地部２は一方の躯体の外周部の全周に渡って形成されており、略矩形状又は方形状の濠状となっている。
【００１６】
目地プレート６は、本実施形態では、いわゆる犬走りといわれる庇状の構造物であり、一方の躯体３の目地部側壁面３ａから対向する他方の躯体４の方向に略水平状に突出するように形成されている。
【００１７】
この目地プレート６の突出端部は、他方の躯体４の上面に重なる程度の長さに形成されており、通常時においては、目地部２はこの目地プレート６によって塞がれた状態となる。
【００１８】
また、この目地プレート６は、他方の躯体４の上面４ａと上下方向に間隙を有するように設けられており、目地プレート６の底面にはカバー板７がスライド移動可能に設けられている。
【００１９】
このカバー板７は、例えば、目地プレート６の底面にビス等によって固定されたハット形鋼形状の複数個のレール９に滑動部材等（図示せず）を介して吊り下げ状態で支持されてスライド移動可能に設けられており、このカバー板７の先端部には、他方の躯体４の目地部２側の上面４ａに設けられたストッパーとなる係合片１０に係合する被係合部１１が形成されている。
【００２０】
また、カバー板７は、一方の躯体３側へ常時付勢具１２によって付勢されている。この付勢具１２は、本実施形態においては、コイルスプリングが用いられており、その他にもおもり等を用いて付勢具１２とすることができる。
なお、カバー板７の構成や取り付け態様としては、前述の特許文献１と同様のものとしてもよい。
【００２１】
角部カバー装置８は、他方の躯体４に一端部１４ａが枢支ピン１３で枢支され、該枢支ピン１３を支点に回動可能に設けられ、通常時において前記目地プレート６の下方に位置する角部カバー板１４と、該角部カバー板１４の他端部１４ｂ付近を一方の躯体３側に回動するように付勢する付勢手段１５と、前記角部カバー板１４の回動を制限するストッパー１６とで構成されている。
【００２２】
前記枢支ピン１３は、本実施形態においては、他方の躯体４の目地部側壁面４ａに固定されたピン挿入孔を備えるピン取付部材１３ａと、このピン取付部材１３ａに回転可能に挿入されたピン本体１３ｂとで構成されている。
【００２３】
なお、他方の躯体４の床面にピン挿入孔を形成し、このピン挿入孔に枢支ピンを挿入して枢支してもよい。
【００２４】
この角部カバー板１４は、本実施形態においては、平面視略三角形状、具体的には略角丸直角三角形状に形成されており、一方の躯体３の角部に斜辺が対向するように設けられている。
【００２５】
この角部カバー板１４の一端部１４ａは、本実施形態においては枢支ピン１３により他方の躯体４の目地部２付近の上面４ａに枢支されており、この枢支ピン１３を支点に回動可能となっている。この角部カバー板１４は付勢手段１５によって他端部１４ｂ側が一方の躯体３側へ回動するように付勢されるとともに、通常時においては斜辺以外の２辺が他方の躯体４の目地部側壁面と略平行になる角度となるようにストッパー１６によって回動が制限されている。
【００２６】
なお、本実施形態においては、ピン本体１４ｂを角部カバー板１４の一端部１４ａ付近の底面に固定しているが、例えば、皿ビス状で角部カバー板１４の上面よりも上方に突出しないように形成されたピン本体１４ｂを角部カバー板１４の一端部付近に挿入してもよい。
【００２７】
この角部カバー板１４はカバー板７とは干渉しないように、例えば角部カバー板１４とカバー板７が重なるように揺れ動く場合には、角部カバー板１３がカバー板７の下に潜り込めるように設けることが望ましい。
【００２８】
ところで、本実施形態においては、角部カバー板１４の斜辺は、一方の躯体３の角部付近に位置するように構成されているが、角部カバー板１４の斜辺が一方の躯体３の角部に当接するように設けてもよい。
【００２９】
また、目地部２の角部付近のカバー板７と角部カバー板１４は上下に重なり合うように設けられており、カバー板７の被係合部１１や係合部１０が角部カバー板１４と干渉しないように、目地部２の角部付近には係合片１０を設けず、この係合片１０に係合する被係合部１１も形成しないことが望ましい。
【００３０】
前記付勢手段１５は、本実施形態においては、スプリング１７とワイヤー１８を用いており、その一端部が一方の躯体に固定され、他端部（ワイヤー１８の先端部）が角部カバー板１４に固定されている。この他端部の固定位置としては、角部カバー板１４の他端部１４ｂ付近が望ましいが、角部カバー板１４の他端部１４ｂを一方の躯体３側へ付勢できる位置であれば、どのような位置に固定してもよい。
なお、付勢手段１５としてスプリング１７のみを用いてもよい。
【００３１】
このように構成することにより、前記角部カバー装置８は、地震によって目地部２が広くなった場合には、目地部２の角部を塞ぐことができ、目地部２が狭くなった場合には、一方の躯体３の角部に斜辺が押圧されて枢支ピン１２を支点に回動して地震による揺れ動きを吸収する。
【００３２】
地震で左右の躯体３、４が左右方向に揺れ動き目地部２が狭くなると、図５に示すように、カバー板７は目地プレート６と同調して一方の躯体３に追従して移動するとともに、角部カバー板１４は、一方の躯体３の角部に斜辺が押圧されて付勢手段１５の付勢力に抗して枢支ピン１３を支点に回動して地震による揺れ動きを吸収する。
地震による揺れ動きが終了し、通常時（図１）の状態に復帰すると、角部カバー板１４は付勢手段１５の付勢力により通常状態に復帰する。なお、ストッパー１６により、角部カバー板１４は所定角度（斜辺以外の２辺が他方の躯体４の目地部側壁面と略平行になる角度）で回動を停止する。
【００３３】
地震で躯体３、４が左右方向に揺れ動き目地部２が広くなると、図５に示すように、カバー板７の被係合部１１が係合部１０と係合しているため、カバー板７が目地プレート６の底部から外側へ露出して目地部２の上部を塞ぐ。また、目地部２の角部については、角部カバー板１４が目地プレート６のない部位を塞ぎ、目地部２が開口することを防止する。
【００３４】
地震による揺れ動きが終了し、通常時（図１）の状態に復帰すると、カバー板７は付勢具１２の付勢力により目地プレート６の底部に収納され、カバー板７も通常時の状態に自動的に復帰する。
【００３５】
[発明を実施するための異なる形態]
次に、図１０乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０乃至図１３に示す本発明を実施するための第２の形態において、前記本発明を実施するための第１の形態と主に異なる点は、目地部２の外側の角部が弧状となるように形成した他方の躯体４Ａにするとともに、平面視略台形状の角部カバー板１４Ａを用いた角部カバー装置８Ａを用いた点で、このような目地カバー装置１Ａにしても、前記本発明を実施するための第１の形態と同様の作用効果を得ることができる。
【００３６】
ところで、本実施形態においては、付勢手段１５Ａとして、枢支ピン１３にねじりばねを固定して角部カバー板１４Ａの他端部１４ｂを一方の躯体３側へ付勢している。
【００３７】
なお、本発明の実施形態では、目地プレートの底面部分にレールを介してカバー板を設けたものについて説明したが、例えば、目地プレートの下部付近にカバー板を収納できる収納部を形成し、この収納部にカバー板をスライド移動可能に設けてもよい。
【００３８】
また、目地プレートは一方の躯体に一体的に形成された庇を用いたものについて説明したが、一端部が一方の躯体に固定され、目地部を塞ぐことができ、かつその底面側にカバー板を設けることができるものであればどのようなものでもよく、例えば、一方の躯体とは別体として形成され、一方の躯体に固定された板状の目地プレート等を用いてもよい。
【００３９】
さらに、角部カバー板は平面視略三角形状又は平面視略台形状のものについて説明したが、他の形状を採用してもよく、例えば、扇形の弧が２つの円弧で形成されている平面視略ハート形状等にしてもよい。このような形状にし、一方の躯体の角部に２つの円弧の接続部が略当接するように設置することにより、目地部が狭くなった場合には枢支ピンを支点に回動することができるとともに、目地部が広くなった場合には、円弧状に形成された部位により、目地部の角部をより広い範囲で塞ぐことができる。
【産業上の利用可能性】
【００４０】
本発明は目地カバー装置を製造する産業で利用される。
【符号の説明】
【００４１】
１、１Ａ：目地カバー装置、          ２：目地部、
３：一方の躯体、                    ４、４Ａ：他方の躯体、
５：免震装置、                      ６：目地プレート、
７：カバー板、                      ８、８Ａ：角部カバー装置、
９：レール、                        １０：係合片、
１１：被係合部、                    １２：付勢具、
１３：枢支ピン、                    １４、１４Ａ：角部カバー板、
１５、１５Ａ：付勢手段、            １６：ストッパー、
１７：スプリング、                  １８：ワイヤー。
【図１】
2020090872.tif 000003
【図２】
2020090872.tif 000004
【図３】
2020090872.tif 000005
【図４】
2020090872.tif 000006
【図５】
2020090872.tif 000007
【図６】
2020090872.tif 000008
【図７】
2020090872.tif 000009
【図８】
2020090872.tif 000010
【図９】
2020090872.tif 000011
【図１０】
2020090872.tif 000012
【図１１】
2020090872.tif 000013
【図１２】
2020090872.tif 000014
【図１３】
2020090872.tif 000015